(57)【要約】【課題】蛍光体分散層から発光素子側に発光して吸収される蛍光を防止し、発光素子近傍蛍光体の励起光集中による劣化と蛍光体分散層における放射角による色斑を防止する。【解決手段】発光素子１からの光を受けて蛍光を発光する蛍光体分散膜７は透光樹脂に埋設され、蛍光体分散膜近傍を焦点とし、蛍光体分散膜からの蛍光を反射するための蛍光反射凹面鏡３と発光素子から発光された光を蛍光体分散膜に照射するための発光素子凹面鏡２は蛍光反射凹面鏡の頂部に設けられた開口部２３で一体または分離して設けられた構成からなる。蛍光反射凹面鏡の頂部開口部により発光素子からの光を前記蛍光体分散膜に照射し、蛍光体分散膜から前方に発せられた蛍光は直接出射し、発光素子周囲凹面鏡の開口部面積は蛍光反射凹面鏡に比べて小さいので発光素子と蛍光反射凹面鏡の側に発せられた蛍光は蛍光反射凹面鏡に照射されて反射・出射される。【選択図】  図２
2010186886.tif 000002
【特許請求の範囲】
【請求項１】
蛍光体膜を焦点とする蛍光反射凹面鏡に透過部を設け、前記透過部を開口とする別の凹面鏡である発光素子周囲凹面鏡の内部に発光素子を設けた構造から成り、発光素子から蛍光体膜に照射して変換された蛍光を、蛍光体膜を焦点とする蛍光反射凹面鏡で反射して出射することを特徴とする蛍光変換発光素子。
【請求項２】
発光素子からの励起光を照射する前記蛍光体膜が蛍光体と白色粒子を含む混合物で構成することにより、蛍光体膜を焦点とする蛍光反射凹面鏡に蛍光の照射と励起光の反射を行なうことを特徴とする請求項１に記載の蛍光変換発光素子。
【請求項３】
前記蛍光体膜が蛍光体と白色粒子を含む混合物と透過部を持つ構成により、蛍光量に対する白色粒子による反射比率と前方に透過する励起光の比率を同等にして色斑を防止して出射することを特徴とする請求項１に記載の蛍光変換発光素子。
【請求項４】
発光素子から発光素子周囲凹面鏡前方の蛍光体膜に照射する際に、蛍光体膜周囲に逸れた励起光を蛍光体に反射することを特徴とする請求項１に記載の蛍光変換発光素子。
【請求項５】
発光素子を設けた発光素子周囲凹面鏡のリードと、蛍光体を焦点とする蛍光反射凹面鏡をもう一方のリードに分離して設けることによりボンディングワイヤを短縮することを特徴とする請求項１に記載の蛍光変換発光素子。
【請求項６】
蛍光を反射する蛍光反射凹面鏡を光軸の開いた回転放物面鏡にして外径方向に光束を拡げた後に前方屈折面から出射することを特徴とする請求項１に記載の蛍光変換発光素子。
【請求項７】
発光素子を設けた発光素子周囲凹面鏡を楕円鏡で構成し、楕円鏡の一方の焦点に発光素子を設け、楕円鏡の他方の焦点に蛍光体膜を設け、蛍光体を設けた側の焦点を共通の焦点とする別の凹面鏡を発光素子周囲楕円鏡の開口部に繋げて構成することにより狭い放射角で出射することを特徴とする請求項１に記載の蛍光変換発光素子。
【発明の詳細な説明】
【技術分野】
【０００１】
本発明は蛍光体を用いた半導体発光素子の蛍光体層から発光素子側に発光する蛍光を反射鏡によって前方に反射して効率を改善し、放射角による色斑と発光素子近傍の蛍光体劣化を防止した発光素子およびこの発光素子を使用した照明装置に関するものである。
【背景技術】
【０００２】
半導体発光素子は小型、高効率、長寿命、低電圧動作、高速応答などの優れた特徴のため各種表示装置・交通信号機などに広く使用されている。
赤、緑、青の３原色発光素子の加法混色による白色光は単体の発光スペクトル幅が狭いために不連続なスペクトル特性を持つが、液晶表示装置は赤、緑、青の３色の発光素子による不連続なスペクトルでも３色の制御信号によりその中間色を表示するため３色の発光素子を用いた３原色白色光を利用可能である。３色の発光素子を円錐内面に設けて後方散乱によって混色する距離を長くする提案（図１７、特許文献１）は多重反射に伴って吸収が増えて効率が低下する。３色の発光素子を同一パッケージに収め、発光素子に近い部分の反射鏡の傾斜を急にして各発光素子と反射鏡の距離と角度の差異を緩和する提案があるが（図１８、特許文献２）、局部的条件でしか均等な混色が得られない。３色の発光素子を同一パッケージ内で十分に混色するのが難しく、素子の電源電圧が異なるなどの理由で下記の蛍光白色発光ダイオードが多く使用されている。
【０００３】
青色発光ダイオードの青色光をイットリウム・アルミニウム酸化物系蛍光体などの黄色蛍光体に照射した補色による蛍光白色発光ダイオードのスペクトルは先鋭な青色となだらかな黄色域の２つのピークから成っている（特許文献３）。赤色域が非常に少なく、緑にも大きなディップを持つ青みの強いスペクトル特性である。しかし、蛍光白色発光ダイオードは３原色の混色に比べて構造が簡単なため携帯電話などの液晶表示装置のバックライトなどとして多く利用されている。
【０００４】
半導体発光素子の発光効率の向上に伴って蛍光ランプに比べて小型化が可能な発光ダイオードによる照明への応用が進められ、半導体発光素子が点光源に近い特長を生かして放射角の狭いプロジェクターなどに使用され始めている。発光ダイオードは許容温度上昇が他の光源に比べて小さいため、大きな光束を得るのは多数のチップが必要になり高価である。普及には低価格化する必要があり、効率を重視されて青みの強いスペクトルになっている。
最も比視感度の高い黄緑色付近の蛍光体を青色発光ダイオードで励起して補色による蛍光白色光を一般照明に使用した場合、赤色域やディップ波長域の被照射体は連続スペクトルの白色光に比べて暗くなる。赤色蛍光体などを混合する方法やイットリウムの一部をガドリニウムに置換して長波長側にシフトし、演色性を改善しつつ効率向上する提案がある（特許文献３）。
【０００５】
蛍光白色発光ダイオードの蛍光体は透光性樹脂に分散してカップ状凹面鏡の内部または表面実装部品のモールド全体に分散されているが、光軸方向で青色光が多くなり傾斜角方向で黄色光が増大するなどの色斑が生じるため、カップ状凹面鏡を２段に分けて蛍光体分散樹脂の厚さを均一にする下段凹部と封止部材の形状を均一にする上段凹部に分割した提案（特許文献４）、分散状態の均一性を改善するために射出成型機を使用して粒子沈降を防止した提案（特許文献５）などがある。
【０００６】
照明は光源の反射光により色を認識するため光源の分光特性が演色性に影響し、波長が欠けていると情報が欠落して正確な色再現が出来なくなる。撮像用光源として線光源に近い３波長冷陰極管が多く使用されているが各色の蛍光材料が線スペクトルのため波長特性の凹凸が大きく、冷陰極管はインバータが必要である。楕円筒反射鏡の線状に形成される焦点に発光ダイオードを配置し、読み取り面を他方の焦線とするスキャナー光源の提案が３原色の発光ダイオードで示されている（特許文献６）。連続スペクトルにするには更に多色の素子が必要になり、発光ダイオードの光度がピークの約半値になる波長幅は２０ｎｍ〜６０ｎｍのため６色〜９色を用いて可視光域をカバーする提案がある（特許文献７）。７種類の発光素子を基板中央付近に並べ、焦点面より浅い位置のレンズ内に封入し、焦点面の散乱材層で混色することにより各色の半値波長で繋げて白色光を形成し、線光源変換素子で変換してスキャナー光源としての応用が示されている。
【先行技術文献】
【特許文献】
【０００７】
【特許文献１】特開２００５−３５３５０６号公報
【特許文献２】特開２００４−８７９３５号公報
【特許文献３】特許３２４６３８６号公報
【特許文献４】特許３６０４２９８号公報
【特許文献５】特許３５４１７０９号公報
【特許文献６】特開平８−３０７６１０号公報
【特許文献７】特許４１１４１７３号公報
【発明の概要】
【発明が解決しようとする課題】
【０００８】
カップ状凹面鏡底部に発光素子を設け、内部に蛍光体を分散した従来の蛍光白色発光ダイオードは蛍光体から前方に出射する蛍光を利用しているが、蛍光体から発光する方向は前方の出射方向の他に発光素子に戻る方向、カップ状の凹面鏡に出射する方向がある。発光素子に戻った光は屈折により発光素子内部に入射するか、入射角に応じて出射方向あるいは凹面鏡方向に反射する。多重に屈折・反射する際に吸収が発生する。前方に出射する蛍光の一部は別の蛍光体に当たって吸収が発生するが、発光素子方向に戻る場合も蛍光体粒子に当たり吸収が発生する。蛍光変換された波長が再び蛍光体に当たった場合は励起波長特性が蛍光域まで及んでいないので反射・吸収され、発光素子と蛍光体の間で反射を繰り返すことによって更に吸収が大きくなる。
【０００９】
蛍光白色発光ダイオードの蛍光体は透光性樹脂に分散してカップ状凹面鏡の内部または表面実装部品のモールド全体に分散されている。発光素子の近傍にも蛍光体が分散され、発光素子の近傍は距離の２乗に反比例して光束密度が高くなるために発光素子近傍ほど蛍光体が劣化し易くなる。発光素子の発熱が蛍光体に熱伝導し、アレニウス則に従って劣化を促進するため放熱構造が重要になっているが、発光素子近傍に分散されている蛍光体は熱によっても劣化を促進されている。
【００１０】
蛍光体の配合比と配合むらによって青の吸収が大きく変わり、指向性による色斑を生じるために均一に分散する提案が多くなされている。光軸上に青色光が多く、周辺光に黄色光が多くなるのを改善するために蛍光体を均一に分散して厚さを均一にする提案がある。しかし、蛍光体を均一に分散して蛍光体層の厚さを均一にしても、発光素子の光軸上と周辺部では蛍光体層の光路長が光軸付近よりも周辺部の方が長く、光軸上の蛍光体層厚ｔと周辺への光路長ｒとの比は数１で示される。
【数１】
2010186886.tif 000003
θが３０°では周辺方向に１５．５％長くなるために厚さが均一であっても周辺光に黄色蛍光が多くなり、色斑が発生している。
【００１１】
青色発光ダイオードの青色光を黄色蛍光体に照射した補色による白色発光ダイオードは尖鋭なスペクトルの青色光となだらかな黄色光のスペクトルを持ち、赤色域と青緑色域が不足している。蛍光が進行方向の蛍光体に当たらずに透過すると黄色光を呈し、別の黄色蛍光体に当たると蛍光体が有色不透明で蛍光波長に対しては蛍光変換率が低いために吸収される。吸収を補って蛍光体配合比率を上げると更に効率が低下するため、蛍光白色発光ダイオードは効率を優先されて青色光スペクトルが大きい青白い光になっている。
【００１２】
演色性を改善するために広い波長帯域にわたって蛍光体を混合するとき、変換効率と比視感度に応じた蛍光体の配合比率で混合する必要がある。比視感度・変換効率の低い赤色などでは長波長蛍光体の量が増え、長波長の蛍光体から発せられた光は短波長の蛍光体では吸収だけで蛍光変換されないので更に蛍光体を増やす必要が生じる。黄色蛍光が黄色蛍光体に当たる確率、赤色蛍光が赤色蛍光体に当たる確率も増大して効率が低下する。このため、複数種の蛍光体を混合分散して連続スペクトルの白色光を実現するのは効率が低下する問題がある。
【００１３】
発光素子を同一パッケージに配置し、発光素子近傍の反射鏡の傾斜を急にするなどの構造によって混色する提案は各発光素子から反射鏡への距離と角度が異なるのでチップの並びに従った色斑を生じる。正反射による混色が難しいために散乱層を利用して後方散乱させて散乱距離を長く取るなどの混色のため反射光が光源側に戻り、多重反射の際に吸収されて効率が低下する問題がある。外部で効率の良い混色手段がないために、蛍光白色発光ダイオードは蛍光体を混合して混色する方法に帰結している。
【課題を解決するための手段】
【００１４】
蛍光体膜７を焦点とする蛍光反射凹面鏡３に発光素子１からの励起光１６を透過する開口部２３を設け、前記透過開口部に交差して開口とする発光素子周囲凹面鏡２を設け、その内部に発光素子を設けた構造から成っている。発光素子から開口部を通して蛍光体膜に励起光を照射し、変換された蛍光１６を蛍光体膜を焦点とする蛍光反射凹面鏡で反射して出射する。蛍光体膜を焦点とする焦点距離の大きな凹面鏡を蛍光反射凹面鏡と呼び、発光素子の周囲の凹面鏡を発光素子周囲凹面鏡と呼ぶことにする。図１は発光素子周囲凹面鏡を楕円鏡で構成し、蛍光体膜の半径を発光素子チップ寸法にして狭い放射角を実現する構造を示している。発光素子から楕円鏡を経由した励起光は焦点にある蛍光体に集光すると蛍光体は全方向に発光する。蛍光体から発光素子側の半空間に発せられた蛍光は発光素子周囲凹面鏡の開口部面積は蛍光反射凹面鏡に比べて小さいので、蛍光体の後方側に発光した蛍光は蛍光反射凹面鏡に殆どが照射される。蛍光体の前方に発光された蛍光は蛍光体を焦点とするレンズを設けることにより平行光に変換して前方に出射する。蛍光反射凹面鏡を放物面鏡または放物線近似曲率円球面鏡にすると、前方のレンズによる平行光と同様に蛍光を平行光として出射することが出来る。
【００１５】
楕円鏡の焦点から発光して他方の焦点に集光するとき、発光素子が各辺約２５０μｍの有限寸法を有するため、発光素子寸法と同等程度に集光する。楕円鏡による反射光は蛍光体に集光するが、発光素子からの直接光は拡散光なので蛍光体径が小さいと焦点の周囲に逸れて蛍光変換されなくなるので周囲に反射鏡を設けて逸れた励起光を蛍光体に反射している。カップ状反射鏡内部に蛍光体を分散している従来の白色発光ダイオードよりも蛍光体の分散密度を高め、蛍光体体積を発光素子と同等程度の蛍光体体積で塊状に密集すると前方に透過し難くなるので蛍光体による円形膜が適している。蛍光体の膜にして被照射面積を拡大すると励起光が逸れるのを削減することが出来る。径の大きな蛍光体膜の場合は発光素子周囲凹面鏡を楕円鏡のみならず円錐鏡、円筒鏡、照明装置形状によっては角錐鏡も使用可能である。
【００１６】
発光素子体積と同量の蛍光体体積０．０１５６ｍｍ３を半径０．６ｍｍの円形蛍光体膜にすると１４μｍの厚さになる。蛍光変換して蛍光のみを利用する場合は平均粒径１０μｍの蛍光体を断面視で千鳥に配置すると充填率が高いために蛍光体粒子間の透過光を防止しつつ、蛍光体からの蛍光を前方に放射することが出来る。蛍光体膜厚を厚くすると蛍光が前方に透過せずに前方の蛍光体で吸収されるため、稠密に充填せずに蛍光体の体積充填率を制御して励起光と蛍光のスペクトルバランスになるように混合する必要がある。
【００１７】
励起光と蛍光のスペクトルバランスをとる場合は、蛍光体膜は前方のみならず蛍光反射凹面鏡方向にも発光するため、蛍光体粒子１２の他に白色粒子１３を混合して励起光を反射し、前方への励起光透過率に概略一致させる必要がある。蛍光体と白色粒子を透明樹脂に混合してフィルム成形する場合は蛍光体と白色粒子の体積充填率で透過率を設定することが出来る。白色粒子の体積と反射率の積に相当する透明粒子を混合して表面全体に塗布することにより励起光の透過率と反射率を同等にすることも出来る。透過部を透明粒子として扱い、図２に蛍光体粒子・白色粒子・透明粒子混合物を単層の千鳥に並べた模式図を示す。
【００１８】
図２において蛍光体・白色粒子混合物と透過部による蛍光体膜を８個の全粒子で模式化し、蛍光体を半数の４個、白色粒子を２個、透明粒子を２個で示している。白色粒子は酸化マグネシウム（反射率０．９８）、シリカ、酸化チタンなどの高反射率物質が適し、反射率を１で近似し、透過部または透明粒子の透過率を１で近似すると前方への励起光の透過光量と蛍光反射鏡方向への励起光反射光量を等しくすることが出来る。励起光Ｉを受けた蛍光体の蛍光変換効率αとして、前方と後方の空間に同量の蛍光を発し、蛍光体が半数のため前方・後方とも蛍光量はＩ・α／４である。
【００１９】
発光素子周囲凹面鏡は蛍光体に効率良く照射するには細長い形状が適し、楕円鏡の場合は数２における楕円鏡の長軸径をａ、短軸径をｂとするとａ／ｂの比が大きいほど図３のように細長い形状になる。
【数２】
2010186886.tif 000004
蛍光反射凹面鏡の焦点を楕円鏡の蛍光体側焦点の手前側にずらすと、楕円鏡の蛍光体側焦点に集光する光は蛍光反射凹面鏡の焦点の周囲に図１の場合よりも大きな直径の円環内を透過する。この円の寸法で蛍光体膜を形成すると、図１における焦点付近の蛍光体膜よりも直径が大きいので直接光が蛍光体を逸れるのを削減出来る。蛍光体膜から蛍光体膜の平面方向と斜め前方に発光する成分を遮光しつつ蛍光反射鏡方向に変換するための反射鏡を設けている。
発光素子周囲凹面鏡を楕円鏡にして焦点に絞りを設けて焦点通過後の拡散光を蛍光体に照射する構造も可能だが、直接光を絞りに集光して効率低下を防ぐ必要がある。
【００２０】
図４では放物面鏡焦点にある蛍光体から発せられて平行光に変換された状態を示しているが、蛍光体円形膜の径が大きくなるほど蛍光反射凹面鏡の点に入射する焦点と外周部でずれが大きくなり、蛍光反射凹面鏡の反射光は拡散光成分を持つ。蛍光体膜からの光を平行光に変換する場合、蛍光体膜の外周部における平行光からの誤差角度θは、蛍光体膜の半径ｒ、放物面鏡の座標（ｘ，ｙ）、蛍光反射放物面鏡の焦点距離ｐにより図６、数３で示される。
【数３】
2010186886.tif 000005
蛍光体膜の径による平行光からの誤差は図４と図６に示すように蛍光反射鏡の頂部に近いほど放射角度が広くなり、周辺では放射角が狭くなる。このため、図１のような径の小さな蛍光体膜では放射角の狭い用途に適し、図２のような発光素子周囲凹面鏡の開口径以上ある蛍光体膜の場合は放射角の広い用途に適している。
【００２１】
発光素子周囲凹面鏡の開口径を小さくすると、蛍光体膜から発光素子周囲凹面鏡開口部に戻る光量の比率を下げることが出来る。発光素子周囲凹面鏡開口部に戻る光量の比率は図７のように蛍光体から開口部までの半径ｒとした全球面の面積に占める楕円鏡開口部面積の比である。全放射光量に対する発光素子周囲凹面鏡開口部への放射比率は、光軸と開口部境界を結ぶ線が光軸となす角度αとし、数４のように球全体の表面積Ｔに対する開口部面積Ｓとの比で表すことが出来る。
【数４】
2010186886.tif 000006
蛍光反射凹面鏡の半径を５ｍｍ、発光素子周囲凹面鏡の開口半径１ｍｍとすると、
α＝１１．５°よりＳ／Ｔ＝０．０１で、発光素子周囲凹面鏡に戻る光量は無視出来る。
【００２２】
蛍光反射凹面鏡は目的放射角に応じて蛍光体面積と凹面鏡曲線を選択することが出来、製造の容易な球面鏡、拡散光を形成する双曲線鏡など目的に応じて採用出来る。図４と図１０は光軸を開いた形状の回転放物面鏡で外周方向に平行光を反射し、屈折面で方向変換して径全体から出射している。図８は楕円鏡を使用して焦点に向かう光を凹屈折面で平行光に変換することにより薄型化した例を示している。図８における蛍光体前方の凸面鏡は前方への拡散光を後方の蛍光反射凹面鏡に反射して放物面鏡の周辺部の光束密度が低いのを補う効果を持たせている。図９は図２の構成による表面実装部品を示す分解斜視図である。図１０は回転放物面鏡を砲弾型発光ダイオードの一方のリードに設け、もう一方のリードに発光素子周囲凹面鏡を設けて反射鏡を分割してボンディングワイヤを短縮する例を示している。
【００２３】
蛍光体膜から前方に発光する蛍光は拡散光のため、蛍光反射凹面鏡の出射光と整合するように放射角度を狭めるため凸レンズを設けた状態を図１、図４、図１０などに示す。凸レンズだけでなく反射鏡も使用することが出来、蛍光体膜から前方に拡散する蛍光を放物面鏡で平行光に変換する状態を図１１に示す。鉛直方向に出射するために平面鏡で方向変換している。図１１の構造は発光素子周囲凹面鏡が横向きのため薄型化が可能である。
【００２４】
蛍光体膜を形成するには蛍光体粒子にバインダーを付着させて透明フィルムに塗布する方法、バインダーを付着させた透明フィルムに蛍光体粒子を吹き付ける方法、蛍光体と樹脂を混練した後にフィルム成形する方法などにより蛍光体膜を形成することが出来る。励起光が紫外線の場合は未充填部分があると紫外線が透過するので蛍光体粒子を稠密に充填する必要がある。励起光を透過させて使用する場合は透明部分を設けて透過率を設定するが、蛍光体・白色粒子・透明粒子混合物をバインダーを塗布した透明フィルムに付着させると被覆率を制御するよりも容易である。
蛍光体・白色粒子・透明粒子混合物膜を所定形状に裁断して蛍光反射鏡の焦点に設置して更に樹脂で被覆することにより光学系の形成と同時に保護機能を兼ねることが出来る。
発光ダイオードの楕円鏡焦点付近まで樹脂モールドしている過程で、モールド表面に蛍光体粒子・白色粒子・透光粒子を適切な比率で混合した分散体を付着させた後に更に樹脂モールドする方法にすると予め蛍光体膜を形成する工程を省くことも出来る。
蛍光体膜から蛍光体膜の平面方向と斜め前方に発光する成分を蛍光反射鏡方向に変換するための反射鏡を設けるには反射膜を被覆したフィルムに蛍光体粒子・白色粒子・透明粒子混合物を塗布する、または反射膜を後工程で設ける製法などで形成することが出来る。
【００２５】
従来の蛍光粒子分散体では空間に存在する他の蛍光体に多重反射して吸収されるが、蛍光体膜の場合は空間の多重反射・吸収は存在しないので複数種の蛍光体の蛍光変換効率で補正した成分比率で白色光あるいは多色光のスペクトルを設計し、実現することが出来る。
励起光から変換された蛍光のスペクトルは蛍光体の表面積比率と変換効率によるため、蛍光体分散層を透過する長さに由来する色の放射角依存性を解決することが出来る。
【００２６】
照明装置では複数の発光素子を使用して大きな光束を得るが、多成分蛍光体を単一の励起光で可視光帯域をカバーすると全て蛍光変換効率が掛かり、蛍光が他の蛍光体に当たるため効率が低下する。このため、複数の発光素子を使用する場合は複数励起光を採用して外部で混色した方が高効率である。光源部の発光素子は単一素子に限らず、励起波長特性が広い蛍光体を複数で構成して複数の励起光を含めた広帯域特性を実現可能だが、光源部に複数素子を設けると発光素子周囲凹面鏡の開口が大きくなり拡散光成分が増えるので放射角度が大きい用途に適している。
【００２７】
照明装置は大きな光束を得るため発光素子を多数並べる必要から放熱が重要なため、放熱板を兼ねた三角波状反射格子に照射して混色する構造を図１２、図１３に示す。蛍光体を多成分で混合して白色光スペクトルを実現する方法に比べて効率が改善され、光源部反射鏡の内部に複数素子を設けるよりも狭い放射角を得ることが出来る。図１２の光源部は図２などの構造を半分に分割し、発光素子の発光方向を楕円鏡に向けた構造である。図１３の光源部は蛍光反射凹面鏡を楕円鏡にして前方の凸反射面により平行光に変換し、三角波状反射格子に照射している。これは図８の凹屈折面で平行光に変換する構造を凸面鏡に変形して方向変換させている。蛍光体前方は拡散光のため凸面鏡により後方の蛍光反射楕円鏡に反射している。
【発明の効果】
【００２８】
蛍光体から発光素子側の半空間に発せられた蛍光を蛍光反射凹面鏡に照射して前方に反射して出射することにより、蛍光体から発光素子とその周辺に戻されて吸収されていた発光素子側の半空間の蛍光利用効率が向上する。
蛍光体膜は前方と後方に発光するため他の蛍光体粒子に吸収されることなく後方の蛍光反射凹面鏡と前方に出射することが出来る。
蛍光体膜の場合は空間の多重反射・吸収は存在しないので複数種の蛍光体の蛍光変換効率で補正した成分比率のスペクトルで出射する。このため、蛍光体分散層を透過する長さに由来する色の放射角依存性を解決することが出来る。
蛍光体膜は発光素子周囲凹面鏡の前方に設けられ、凹面鏡の反射光と発光素子からの直接光が照射されるために蛍光体の局部に集中することを避けることが出来る。このため、発光素子近傍に集中による蛍光体の劣化を防止することが出来る。
多成分系で混合して白色光スペクトルを実現する方法よりも外部で混色した方が効率を改善出来、発光素子を多数並べる照明用途では放熱板を兼ねた三角波状反射格子に照射して混色する構造により、蛍光体を励起する波長を最適化出来る。光源部反射鏡の内部に複数素子を設けるよりも狭い放射角を得ることが出来る。
蛍光体から発光素子方向に発せられた蛍光を蛍光反射凹面鏡により有効に出射することにより照明装置における発光素子の使用数量を削減し、損失の低減により放熱構造が簡単になる。このため、照明装置の製造コスト削減を行なうことが出来る。
【図面の簡単な説明】
【００２９】
説明の都合上、要部を拡大して表示するため必ずしも相似関係にはなっていない。
【図１】発光素子周囲楕円鏡の焦点近傍の蛍光体層から蛍光反射凹面鏡に反射する断面図
【図２】蛍光体・白色粒子・透明粒子混合物による蛍光体膜を蛍光反射凹面鏡の焦点に設けた白色発光ダイオードの断面図
【図３】発光素子周囲楕円鏡と蛍光反射放物面鏡のグラフ
【図４】発光素子周囲楕円鏡の焦点手前の蛍光体膜から蛍光反射凹面鏡に反射する断面図
【図５】蛍光反射放物面鏡における蛍光体膜寸法による拡散光成分が発生する原理図
【図６】蛍光体膜の寸法による放物面鏡で拡散光成分の分布状態
【図７】発光素子周囲凹面鏡開口部面積が放射角に占める比率の全空間積分
【図８】蛍光反射楕円鏡と凹屈折面を組み合わせて平行光出射する断面図
【図９】発光素子周囲楕円鏡・蛍光体膜・蛍光反射凹面鏡の構造を示す分解斜視図
【図１０】発光素子周囲凹面鏡と蛍光反射凹面鏡を分離した砲弾型白色発光ダイオード
【図１１】蛍光体前方の蛍光を放物面鏡で平行光に変換する表面実装部品の断面図
【図１２】２種類の蛍光白色光を三角波状格子とレンズ形光源による混色装置の断面図
【図１３】２種類の蛍光白色光を三角波状格子と反射形光源による混色装置の断面図
【図１４】凸面格子ユニットの断面図
【図１５】車両用前照灯の正面図
【図１６】２種類の擬似白色発光素子の混色による合成スペクトル
【図１７】円錐型散乱面による従来の混色装置における前方散乱光のみを示した模式図
【図１８】チップ近傍の反射鏡を急傾斜にして色斑を緩和して混色する従来のパッケージ
【図１９】蛍光体を分散する従来の蛍光白色発光ダイオード
【発明を実施するための形態】
【００３０】
実施例１
蛍光体・白色粒子・透明粒子混合物による蛍光体膜を蛍光反射凹面鏡の焦点に設けた白色発光ダイオードの表面実装部品への実施例を説明する。図２、図４の断面図、図９の分解斜視図に示した構造である。蛍光体は膜状にして複数の混合物を用いることにより波長帯域を広く取ることが出来、他の粒子に当たって吸収を最小限に出来る。白色粒子と透明粒子は蛍光の総光量を変換効率で割った数値に対する励起光の比率で混合することにより目的の分光特性を得ることが出来る。白色粒子は酸化マグネシウム（反射率０．９８）、シリカ、酸化チタンなどの高反射率物質が適している。透明物質は透過率が高く、軟化温度の高いガラス、透明高分子が適している。前方への励起光の透過光量と蛍光反射鏡方向への励起光反射光量を等しくすると色バランスを良くすることが出来る。
【００３１】
実施例２
発光素子周囲凹面鏡を一方のリードに設け、蛍光反射凹面鏡をもう一方のリードに設けた砲弾型白色発光ダイオードの実施例を説明する。砲弾型発光ダイオードは発光素子を載せるリードと電流を供給するリードに分割されるが、発光素子を載せるリードに発光素子周囲凹面鏡を設け、電流供給リードは蛍光反射凹面鏡を設けてボンディングワイヤを発光素子に接続している。発光素子周囲凹面鏡と蛍光反射凹面鏡を一体化すると深い凹面鏡のためボンディングワイヤが長くなるが、分割することにより長さを短縮出来る。
蛍光反射凹面鏡は光軸を開いた形状の放物面鏡にして前方の凸レンズを避け、外周方向に向かった光を屈折面で方向変換して蛍光体前方の凸レンズの指向性に一致させている。蛍光体の斜め上方に出射すると円錐形の屈折面に入射するので遮光を兼ねた反射鏡を設けて蛍光反射凹面鏡に反射している。
【００３２】
実施例３
蛍光体膜から前方に拡散する蛍光を放物面鏡で平行光に変換し、蛍光反射凹面鏡を放物面鏡にして平行光に変換した後に更に平面鏡で鉛直方向に出射する表面実装素子の実施例を説明する。光源部は楕円鏡を縦半分に分割し、発光素子の発光方向を楕円鏡に向けて楕円鏡を横方向にして薄型化した構造である。蛍光反射放物面鏡は上半分を利用した半円形で、蛍光を平行光に変換した後に４５°傾斜の平面鏡により鉛直方向に出射する構造である。蛍光体前方の蛍光は放物面鏡で鉛直方向に出射して平面鏡出射光に一致させている。発光素子を載せる放熱基板に前方放物面鏡と平面鏡を設けることが出来、透明樹脂を成型する際に蛍光体を設置した後に全体を成型し、楕円鏡と放物面鏡を蒸着、無電解メッキなどにより形成して平行光を出射する表面実装素子を製造することが出来る。
【００３３】
実施例４
青色発光ダイオードに黄色を中心とする蛍光体を用いた蛍光白色発光ダイオードと青緑色発光ダイオードに橙色を中心とする蛍光体を用いた蛍光白色発光ダイオードを混色して可視光域をカバーする白色光源装置の実施例として車両用前照灯について説明する。放射角などを変更すればスポットライトなどにも応用することが出来る。
左右の光源部の一方は青色発光ダイオードに黄色蛍光体を用いた蛍光白色発光ダイオード、他方は青緑色発光ダイオードに橙色蛍光体を用いた蛍光白色発光ダイオードである。
楕円鏡の一方の焦点に発光素子と他方の焦点に蛍光体を設け、励起光を受けた蛍光体から後方の楕円鏡に蛍光を発し、凸面鏡で平行光に変換して反射格子方向に照射している。
車両用前照灯の上下方向の放射角を１０°とすると、蛍光体膜の寸法による誤差角度４°を引いて反射格子に直行方向の放射角γを６°とする。このため反射格子を凸反射面にして、放射角γを決定するための頂部傾斜αと入射光の傾斜αは等しく、谷部傾斜βの関係を数５に示す。
【数５】
2010186886.tif 000007
数５より傾斜光と頂部の傾斜αは２８°、谷部の傾斜βは３４°である。反射格子に平行方向の放射角を２０°とし、反射格子短冊の長さを１４ｍｍとすると、数４より曲率半径は４０ｍｍである。
波数４の凸反射面格子を並べた構成の側面図を図１４、車両用前照灯の正面図を図１５に示す。
発光素子に４０ｍＡの順電流を流すと２光源で構成される１ユニットで０．２８Ｗになり、このユニットを横に１１列、縦に８列の計８８ユニット使用して変換効率６０ｌｍ／Ｗで１４８０ｌｍの光束を得られる。寸法は横１６０ｍｍ、縦１７０ｍｍである。混色したスペクトルを図１６に示す。すれ違いビームのときは下５列を点灯すると９２０ｌｍになり、図１５のようにユニットの配置にカットオフラインを設けて対向車への防眩効果を増すことが出来る。カットオフラインの斜めの反射格子は楕円鏡と双曲線鏡を組み合わせて台形状の反射格子にしたものである。図１５は左側走行車両の場合を正面視したもので、上３段を消灯してすれ違いビームの状態を示したものである。
反射格子はアルミニウムなどの金属鏡面を利用すると放熱板を兼用することが出来る。上記構成による走行ビームのときの全損失は２４．６Ｗである。反射格子ユニットのその周囲に３０ｍｍ幅の取り付けスペースを設けたときの放熱板寸法は横２２０ｍｍ、縦２３０ｍｍである。
この放熱板の後方にダクトを設け、風速ｕ＝１０ｍ／ｓ（３６ｋｍ／ｈ）以上の走行風または強制対流で冷却すると、数６により温度上昇は約２５℃である。放熱板からダクトの壁面全体に熱伝導して放熱に利用出来るので温度上昇を約２５℃よりも低下させることが出来る。数６は放熱板温度における空気の物性値を用いるので繰り返し計算が必要だが、収束条件付近の５０℃における物性値
プラントル数Ｐｒ：０．７１
熱伝導率λ：０．０２４１［Ｗ／ｍ℃］
動粘性係数ν：１．８６×１０−5［ｍ２／ｓ］
を用いてレイノルズ数Ｒｅ、ヌセルト数Ｎｕ、平均熱伝達率α、温度上昇Ｔは数６より求められる。放熱板の縦寸法Ｌ、横寸法Ｗとし、外気温度は２０℃とする。
【数６】
2010186886.tif 000008
【符号の説明】
【００３４】
１：発光素子                          ２：発光素子周囲凹面鏡
３：蛍光反射凹面鏡                    ４：三角波状反射格子
５：凸面反射格子                      ６：放物面鏡
７：蛍光体膜                          ８：楕円鏡
１０：凸屈折面                        １１：凹屈折面
１２：蛍光粒子                        １３：白色粒子
１４：透明粒子                        １５：屈折格子
１６：励起光                          １７：蛍光
１８：透光物質                        １９：平行光
２０：拡散光                          ２１：凹面鏡
２２：凸面鏡                          ２３：開口部
２５：平面反射面                      ２６：遮光体
２９：基板                            ３３：楕円
３５：端子                            ３６：ボンディングワイヤ
４０：焦点                            ４４：カットオフライン
【図１】
2010186886.tif 000009
【図２】
2010186886.tif 000010
【図３】
2010186886.tif 000011
【図４】
2010186886.tif 000012
【図５】
2010186886.tif 000013
【図６】
2010186886.tif 000014
【図７】
2010186886.tif 000015
【図８】
2010186886.tif 000016
【図９】
2010186886.tif 000017
【図１０】
2010186886.tif 000018
【図１１】
2010186886.tif 000019
【図１２】
2010186886.tif 000020
【図１３】
2010186886.tif 000021
【図１４】
2010186886.tif 000022
【図１５】
2010186886.tif 000023
【図１６】
2010186886.tif 000024
【図１７】
2010186886.tif 000025
【図１８】
2010186886.tif 000026
【図１９】
2010186886.tif 000027
【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
蛍光体分散膜を焦点とする蛍光反射凹面鏡に透過部を設け、前記透過部を開口とする別の凹面鏡である発光素子周囲凹面鏡の内部に発光素子を設けた構造から成り、発光素子から蛍光体分散膜に照射して変換された蛍光を、蛍光体分散膜を焦点とする蛍光反射凹面鏡で反射して出射することを特徴とする蛍光変換発光素子。
【請求項２】
発光素子からの励起光を照射する前記蛍光体分散膜を蛍光体と白色粒子を含む混合物で構成することにより、蛍光体分散膜を焦点とする蛍光反射凹面鏡に蛍光の照射と励起光の反射を行なうことを特徴とする請求項１に記載の蛍光変換発光素子。
【請求項３】
前記蛍光体分散膜が蛍光体と白色粒子を含む混合物と透過部を持つ構成により、蛍光量に対する白色粒子による反射比率と前方に透過する励起光の比率を同等にして色斑を防止して出射することを特徴とする請求項１に記載の蛍光変換発光素子。
【請求項４】
発光素子から発光素子周囲凹面鏡前方の蛍光体分散膜に照射する際に、蛍光体分散膜周囲に逸れた励起光を蛍光体に反射することを特徴とする請求項１に記載の蛍光変換発光素子。
【請求項５】
発光素子を設けた発光素子周囲凹面鏡のリードと、蛍光体分散膜を焦点とする蛍光反射凹面鏡をもう一方のリードに分離して設けることによりボンディングワイヤを短縮することを特徴とする請求項１に記載の蛍光変換発光素子。
【請求項６】
蛍光を反射する蛍光反射凹面鏡を光軸の開いた回転放物面鏡にして外径方向に光束を拡げた後に前方屈折面から出射することを特徴とする請求項１に記載の蛍光変換発光素子。
【請求項７】
発光素子を設けた発光素子周囲凹面鏡を楕円鏡で構成し、楕円鏡の一方の焦点に発光素子を設け、楕円鏡の他方の焦点に蛍光体分散膜を設け、蛍光体を設けた側の焦点を共通の焦点とする別の凹面鏡を発光素子周囲楕円鏡の開口部に繋げて構成することにより、蛍光体分散膜寸法に基づく放射角で出射することを特徴とする請求項１に記載の蛍光変換発光素子。
【手続補正２】
【補正対象書類名】明細書
【補正対象項目名】００１４
【補正方法】変更
【補正の内容】
【００１４】
蛍光体分散膜７を焦点とする蛍光反射凹面鏡３に発光素子１からの励起光１６を透過する開口部２３を設け、前記透過開口部に交差して開口とする発光素子周囲凹面鏡２を設け、その内部に発光素子を設けた構造から成っている。発光素子から開口部を通して蛍光体分散膜に励起光を照射し、変換された蛍光１６を、蛍光体分散膜を焦点とする蛍光反射凹面鏡で反射して出射する。蛍光体分散膜を焦点とする焦点距離の大きな凹面鏡を蛍光反射凹面鏡と呼び、発光素子の周囲の凹面鏡を発光素子周囲凹面鏡と呼ぶことにする。図１は発光素子周囲凹面鏡を楕円鏡で構成し、蛍光体分散膜の半径を発光素子チップ寸法にして狭い放射角を実現する構造を示している。発光素子から楕円鏡を経由した励起光は焦点にある蛍光体に集光すると蛍光体は全方向に発光する。蛍光体から発光素子側の半空間に発せられた蛍光は発光素子周囲凹面鏡の開口部面積は蛍光反射凹面鏡に比べて小さいので、蛍光体の後方側に発光した蛍光は蛍光反射凹面鏡に殆どが照射される。蛍光体の前方に発光された蛍光は蛍光体を焦点とするレンズを設けることにより平行光に変換して前方に出射する。蛍光反射凹面鏡を放物面鏡または放物線近似曲率円球面鏡にすると、前方のレンズによる平行光と同様に蛍光を平行光として出射することが出来る。
【手続補正３】
【補正対象書類名】明細書
【補正対象項目名】００１５
【補正方法】変更
【補正の内容】
【００１５】
楕円鏡の焦点から発光して他方の焦点に集光するとき、発光素子が各辺約２５０μｍの有限寸法を有するため、発光素子寸法と同等程度に集光する。楕円鏡による反射光は蛍光体に集光するが、発光素子からの直接光は拡散光なので蛍光体分散膜径が小さいと焦点の周囲に逸れて蛍光変換されなくなるので周囲に反射鏡を設けて逸れた励起光を蛍光体分散膜に反射している。カップ状反射鏡内部に蛍光体を分散している従来の白色発光ダイオードよりも蛍光体の分散密度を高め、蛍光体体積を発光素子と同等程度の蛍光体体積で塊状に密集すると前方に透過し難くなるので蛍光体を透明樹脂に分散した円形膜が適している。蛍光体を透明樹脂に分散した膜を蛍光体分散膜あるいは蛍光体膜と称することにする。蛍光体分散膜にして被照射面積を拡大すると励起光が逸れるのを削減することが出来る。径の大きな蛍光体分散膜の場合は発光素子周囲凹面鏡を楕円鏡のみならず円錐鏡、円筒鏡、照明装置形状によっては角錐鏡も使用可能である。
【手続補正４】
【補正対象書類名】明細書
【補正対象項目名】００１６
【補正方法】変更
【補正の内容】
【００１６】
発光素子体積と同量の蛍光体体積０．０１５６ｍｍ３を半径０．６ｍｍの円形蛍光体分散膜にすると１４μｍの厚さになる。蛍光変換して蛍光のみを利用する場合は平均粒径１０μｍの蛍光体を断面視で千鳥に配置すると充填率が高いために蛍光体粒子間の透過光を防止しつつ、蛍光体からの蛍光を前方に放射することが出来る。蛍光体分散膜厚を厚くすると蛍光が前方に透過せずに前方の蛍光体で吸収されるため、稠密に充填せずに蛍光体の体積充填率を制御して励起光と蛍光のスペクトルバランスをとることが出来る。
【手続補正５】
【補正対象書類名】明細書
【補正対象項目名】００３４
【補正方法】変更
【補正の内容】
【００３４】
１：発光素子                          ２：発光素子周囲凹面鏡
３：蛍光反射凹面鏡                    ４：三角波状反射格子
５：凸面反射格子                      ６：放物面鏡
７：蛍光体分散膜                      ８：楕円鏡
１０：凸屈折面                        １１：凹屈折面
１２：蛍光粒子                        １３：白色粒子
１４：透明粒子                        １５：屈折格子
１６：励起光                          １７：蛍光
１８：透光物質                        １９：平行光
２０：拡散光                          ２１：凹面鏡
２２：凸面鏡                          ２３：開口部
２５：平面反射面                      ２６：遮光体
２９：基板                            ３３：楕円
３５：端子                            ３６：ボンディングワイヤ
４０：焦点                            ４４：カットオフライン
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
発光素子と、
発光素子からの光を受けて蛍光を発光する蛍光体分散膜と、
前記蛍光体分散膜近傍を焦点とし、蛍光体分散膜からの蛍光を反射するための蛍光反射凹面鏡と、
発光素子から発光された光を発光素子前方の前記蛍光体分散膜方向に照射するための発光素子凹面鏡と、
前記蛍光体分散膜を埋設するための透光樹脂
を備え、
前記発光素子凹面鏡の開口径と同等な開口部を頂部に設けられた前記蛍光反射凹面鏡と、前記発光素子凹面鏡は一体または分離して設けられた構成からなり、
発光素子からの光を前記蛍光反射凹面鏡の頂部に設けられた開口部を透過して前記蛍光体分散膜に照射し、
蛍光体分散膜から前方に発せられた蛍光は直接出射し、後方に発せられた蛍光は蛍光反射凹面鏡で反射して出射することを特徴とする蛍光変換発光ダイオード。
【請求項２】
前記蛍光体分散膜は蛍光体を含む薄膜で構成することにより、
発光素子からの光を受けて蛍光体分散膜の蛍光体占積率と蛍光変換効率の積で発光し、
蛍光体が占積されていない透過部で励起光の透過比率を制御し、
蛍光と励起光の出射比率を制御することを特徴とする請求項１に記載の蛍光変換発光ダイオード。
【請求項３】
前記蛍光体分散膜を蛍光体と白色粒子を含む混合物からなる薄膜で構成することにより、
発光素子からの光を受けて蛍光体分散膜の蛍光体占積率と蛍光変換効率の積で発光し、
蛍光体分散膜の白色粒子占積率と反射率の積で発光素子からの励起光を反射し、
蛍光体分散膜近傍を焦点とする蛍光反射凹面鏡に蛍光の照射と励起光の反射を行なうことを特徴とする請求項１に記載の蛍光変換発光ダイオード。
【請求項４】
前記蛍光体分散膜は蛍光体と白色粒子を含む混合物と透過部を持つ薄膜で構成することにより、
白色粒子占積率による励起光の反射比率と、前方に透過する励起光の比率を概略同等にして蛍光体分散膜を焦点とする蛍光反射凹面鏡に照射し、
色斑を防止して出射することを特徴とする請求項１に記載の蛍光変換発光ダイオード。
【請求項５】
前記蛍光体分散膜の外周に反射鏡を設け、蛍光体分散膜の平面方向に発光する光を蛍光反射凹面鏡に反射することを特徴とする請求項１に記載の蛍光変換発光ダイオード。
【請求項６】
前記発光素子周囲凹面鏡と蛍光反射凹面鏡を分離して設け、
蛍光反射凹面鏡の頂部に設けた開口部近傍から発光素子にボンディングワイヤを接続することによりボンディングワイヤ長を短縮することを特徴とする請求項１に記載の蛍光変換発光ダイオード。
【請求項７】
蛍光反射凹面鏡は放物線の中心軸を傾けて回転運動して得られる形状の光軸を開いた回転放物面鏡とし、
蛍光体分散膜前方の透光樹脂面を凸レンズで形成し、凸レンズより外径方向を円錐状屈折面で形成し、
発光素子からの励起光を受けて蛍光体分散膜から前方に発せられた蛍光は前方の凸レンズ面から出射し、
光軸が開いた回転放物面鏡により、前記蛍光反射凹面鏡の焦点近傍に設けられた蛍光体分散膜からの光を凸レンズより外径方向の円錐状屈折面に光束を拡げ、
透光樹脂の前面の屈折面から出射することを特徴とする請求項１に記載の蛍光変換発光ダイオード。
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
発光素子を内部に設けた発光素子周囲凹面鏡の開口部と、蛍光反射凹面鏡の頂部に設けた孔とを一致させ、透明物質に少なくとも蛍光体粒子を分散して薄膜に形成した蛍光体分散膜を蛍光反射凹面鏡の焦点近傍に設けて透明樹脂でモールドした構造からなり、発光素子から前記蛍光体分散膜に照射されて蛍光体分散膜の蛍光体粒子から透過方向の半空間に発せられた蛍光は直接出射し、蛍光体分散膜より発光素子側の半空間に発せられた蛍光は蛍光反射凹面鏡で反射して出射することを特徴とする蛍光変換発光ダイオード。
【請求項２】
前記蛍光体分散膜は透明樹脂に少なくとも蛍光体粒子を混練して薄膜に形成した構造からなることを特徴とする請求項１に記載の蛍光変換発光ダイオード。
【請求項３】
前記蛍光体分散膜は透明フィルムに少なくとも蛍光体粒子を付着して薄膜に形成した構造からなることを特徴とする請求項１に記載の蛍光変換発光ダイオード。
【請求項４】
前記蛍光体分散膜は透明物質に蛍光体粒子と白色粒子を分散させて薄膜に形成した構造からなり、蛍光体分散膜を透過する方向に発せられた蛍光は直接出射し、蛍光体分散膜より発光素子側の半空間に発せられた蛍光と、白色粒子により反射した励起光は蛍光反射凹面鏡で反射して出射することを特徴とする請求項１に記載の蛍光変換発光ダイオード。
【請求項５】
前記発光素子周囲凹面鏡を一方のリードに設け、蛍光反射凹面鏡を他方のリードに設け、蛍光反射凹面鏡の頂部の孔近傍から発光素子にボンディングワイヤを接続した構造からなることを特徴とする請求項１に記載の蛍光変換発光ダイオード。